(57)【要約】【課題】加熱三方弁の逆組み付け状態を判別し、制御による対応で沸き上げ運転を継続可能とする。【解決手段】沸き上げ開始から一定時間経過後に、加熱三方弁２５を出口ポートａ側に切り換えたにも関わらず貯湯温度センサ２８ａで所定温度以上を確認できなければ、加熱三方弁２５を出口ポートｂ側に切り換え、その後所定時間経過するまでに貯湯温度センサ２８ａで所定温度以上を確認すると、加熱三方弁２５の逆組み付けと判断し、加熱三方弁２５を出口ポートｂ側に切り換えた状態で、沸き上げを継続するようにした。【選択図】図２
2014098511.tif 000002
【特許請求の範囲】
【請求項１】
給湯用の湯水を貯湯する貯湯タンクと、
前記貯湯タンク内上部の湯水の温度を検出する貯湯温度センサと、
前記貯湯タンク内の湯水を加熱する加熱手段と、
前記貯湯タンク下部と前記加熱手段入口を接続する加熱往き管と、
前記加熱手段出口と前記貯湯タンク上部を接続する加熱戻り管と、
前記加熱戻り管から分岐して前記貯湯タンク下部へ接続する加熱分岐管と、
前記加熱往き管に設けられ貯湯タンク内の湯水を前記加熱手段に循環させる加熱循環ポンプと、
出口ポートａと出口ポートｂと入口ポートｃとを有したボディと、前記出口ポートａまたは前記出口ポートｂの一方と前記入口ポートｃとを連通させる弁体と、前記弁体を駆動する弁モータとを具備し、前記出口ポートａが前記貯湯タンク側の前記加熱戻り管、前記出口ポートｂが前記加熱分岐管、前記入口ポートｃが前記加熱手段側の前記加熱戻り管に接続された加熱三方弁と、
前記加熱手段で沸き上げられた湯水の温度を検出する沸き上げ温度センサと、
前記加熱手段と前記加熱循環ポンプを駆動して前記貯湯タンク内の湯水を加熱する沸き上げを行うと共に、沸き上げ開始時は前記加熱三方弁を出口ポートｂ側とし、前記沸き上げ温度センサが所定温度以上を検出すると前記加熱三方弁を出口ポートａ側に切り換えるよう前記弁モータを駆動する制御手段とを備えた貯湯式給湯機において、
前記制御手段は、沸き上げ開始から一定時間経過後に、前記加熱三方弁を出口ポートａ側に切り換えたにも関わらず前記貯湯温度センサで所定温度以上を確認できなければ、前記加熱三方弁を出口ポートｂ側に切り換え、その後所定時間経過するまでに前記貯湯温度センサで所定温度以上を確認すると、前記加熱三方弁の逆組み付けと判断するようにしたことを特徴とする貯湯式給湯機。
【請求項２】
前記制御手段は、前記加熱三方弁の逆組み付けと判断すると、前記加熱三方弁を出口ポートｂ側に切り換えた状態で、沸き上げを継続するようにしたことを特徴とする請求項１記載の貯湯式給湯機。
【請求項３】
前記制御手段は、前記加熱三方弁の逆組み付けと判断した後は、次回以降の沸き上げは、沸き上げ開始時は前記加熱三方弁を出口ポートａ側として、前記沸き上げ温度センサが所定温度以上を検出すると前記加熱三方弁を出口ポートｂ側に切り換えるよう前記弁モータを駆動するようにしたことを特徴とする請求項１または２記載の貯湯式給湯機。
【請求項４】
前記制御手段は、沸き上げ開始から一定時間経過後に、前記加熱三方弁を出口ポートａ側に切り換えたにも関わらず前記貯湯温度センサで所定温度以上を確認できなければ、前記加熱三方弁を出口ポートｂ側に切り換え、その後所定時間経過しても前記貯湯温度センサで所定温度以上を確認できなければ、前記加熱手段の逆接続と判断するようにしたことを特徴とする請求項１記載の貯湯式給湯機。
【発明の詳細な説明】
【技術分野】
【０００１】
本発明は、加熱手段で湯を沸き上げて貯湯タンクに貯湯する貯湯式給湯機に関する。
【背景技術】
【０００２】
従来よりこの種の貯湯式給湯機においては、特許文献１に示されるように、貯湯タンクと、ヒートポンプユニットと、貯湯タンク下部とヒートポンプユニットの入口とを接続する加熱往き管と、ヒートポンプユニットの出口と貯湯タンク上部とを接続する加熱戻り管と、加熱戻り管から分岐して貯湯タンク下部と接続する加熱分岐管と、加熱戻り管と加熱分岐管の分岐点に設けられた加熱三方弁とを有し、沸き上げ開始後、沸き上げ温度が所定温度以上となると加熱三方弁を加熱分岐管側から加熱戻り管側へ切り換えるようにしたものがあった。
【先行技術文献】
【特許文献】
【０００３】
【特許文献１】特開２００９−２６４６１７号公報
【発明の概要】
【発明が解決しようとする課題】
【０００４】
しかし、このような従来のものでは、加熱三方弁はＴ字型の流路のＴ字の左右端に出口ポートＡ、Ｂ、Ｔ字の下端に入口ポートＣが開口された構造であることが一般的であるため、加熱三方弁を表裏逆にして組み付けてしまった場合、詳しくは、本来貯湯タンク側の加熱戻り管が接続されるべき加熱三方弁の出口ポートＡに加熱分岐管に接続され、本来加熱分岐管が接続されるべき加熱三方弁の出口ポートＢに貯湯タンク側の加熱戻り管が接続された場合、沸き上げが正常に行われないと共に、これを検知する手段がなかったという問題があった。
【課題を解決するための手段】
【０００５】
そこで、本発明は上記課題を解決するため、請求項１では、給湯用の湯水を貯湯する貯湯タンクと、前記貯湯タンク内上部の湯水の温度を検出する貯湯温度センサと、前記貯湯タンク内の湯水を加熱する加熱手段と、前記貯湯タンク下部と前記加熱手段入口を接続する加熱往き管と、前記加熱手段出口と前記貯湯タンク上部を接続する加熱戻り管と、前記加熱戻り管から分岐して前記貯湯タンク下部へ接続する加熱分岐管と、前記加熱往き管に設けられ貯湯タンク内の湯水を前記加熱手段に循環させる加熱循環ポンプと、出口ポートａと出口ポートｂと入口ポートｃとを有したボディと、前記出口ポートａまたは前記出口ポートｂの一方と前記入口ポートｃとを連通させる弁体と、前記弁体を駆動する弁モータとを具備し、前記出口ポートａが前記貯湯タンク側の前記加熱戻り管、前記出口ポートｂが前記加熱分岐管、前記入口ポートｃが前記加熱手段側の前記加熱戻り管に接続された加熱三方弁と、前記加熱手段で沸き上げられた湯水の温度を検出する沸き上げ温度センサと、前記加熱手段と前記加熱循環ポンプを駆動して前記貯湯タンク内の湯水を加熱する沸き上げを行うと共に、沸き上げ開始時は前記加熱三方弁を出口ポートｂ側とし、前記沸き上げ温度センサが所定温度以上を検出すると前記加熱三方弁を出口ポートａ側に切り換えるよう前記弁モータを駆動する制御手段とを備えた貯湯式給湯機において、前記制御手段は、沸き上げ開始から一定時間経過後に、前記加熱三方弁を出口ポートａ側に切り換えたにも関わらず前記貯湯温度センサで所定温度以上を確認できなければ、前記加熱三方弁を出口ポートｂ側に切り換え、その後所定時間経過するまでに前記貯湯温度センサで所定温度以上を確認すると、前記加熱三方弁の逆組み付けと判断するようにした。
【０００６】
また、請求項２では、請求項１のものにおいて、前記制御手段は、前記加熱三方弁の逆組み付けと判断すると、前記加熱三方弁を出口ポートｂ側に切り換えた状態で、沸き上げを継続するようにした。
【０００７】
また、請求項３では、請求項１または２のものにおいて、前記制御手段は、前記加熱三方弁の逆組み付けと判断した後は、次回以降の沸き上げは、沸き上げ開始時は前記加熱三方弁を出口ポートａ側として、前記沸き上げ温度センサが所定温度以上を検出すると前記加熱三方弁を出口ポートｂ側に切り換えるよう前記弁モータを駆動するようにした。
【０００８】
また、請求項４では、請求項１のものにおいて、前記制御手段は、沸き上げ開始から一定時間経過後に、前記加熱三方弁を出口ポートａ側に切り換えたにも関わらず前記貯湯温度センサで所定温度以上を確認できなければ、前記加熱三方弁を出口ポートｂ側に切り換え、その後所定時間経過しても前記貯湯温度センサで所定温度以上を確認できなければ、前記加熱手段の逆接続と判断するようにした。
【発明の効果】
【０００９】
本発明の請求項１によれば、加熱三方弁の出口ポートと対応する配管が誤って逆に組み付けられていることを確実に検知することができる。
【００１０】
また、請求項２、３によれば、加熱三方弁の逆組み付けが検知された後は、制御手段は加熱三方弁の制御方向を入れ替えて、通常通り沸き上げることができる。
【００１１】
また、請求項４によれば、加熱三方弁の逆組み付けと加熱手段の入口出口を逆に接続した逆接続とを判別することができ、事後の対処が容易になる。
【図面の簡単な説明】
【００１２】
【図１】本発明の一実施形態の概略構成図
【図２】同一実施形態の作動を説明するフローチャート
【図３】加熱三方弁の逆組み付け状態の概略構成図
【図４】加熱三方弁の出口ポートと接続される配管の対応関係を示す図
【図５】加熱手段の逆接続状態の概略構成図
【発明を実施するための形態】
【００１３】
次に、本発明の一実施形態の貯湯式給湯機を図面に基づいて説明する。
１は給湯用の湯水を貯湯する貯湯タンク２を有した貯湯タンクユニット、３は貯湯タンク２内の湯水を加熱する加熱手段としてのヒートポンプユニット、４は給湯栓、５は表示部５ａと複数の操作スイッチ５ｂとを有した給湯機リモコンである。なお、貯湯タンク２の容積は１５０Ｌ〜５５０Ｌ程度のものである。
【００１４】
６は貯湯タンク２底部に市水を供給する給水管、７は貯湯タンク２上部から外部に出湯する出湯管、８は給水管６から分岐された給水バイパス管、９は出湯管７からの湯と給水バイパス管８からの水とを所望の温度に混合する給湯混合弁、１０は給湯混合弁９で混合された湯水を外部の給湯栓４へ導く給湯管である。
【００１５】
１１は貯湯タンクユニット１筐体内最上流位置の給水管６に介設され給水圧を減圧する減圧弁、１２は貯湯タンク２内の過圧を逃がす過圧逃がし弁である。
【００１６】
１３は給湯管１０途中に設けられ給湯温度を検出する給湯温度センサ、１４は給湯管１０途中に設けられ給湯流量を検出する給湯流量センサである。
【００１７】
ヒートポンプユニット３は、冷媒を圧縮する圧縮機１５と、圧縮された高温冷媒と貯湯タンク２からの湯水とを熱交換する冷媒水熱交換器１６と、冷媒水熱交換器１６で放熱された冷媒を減圧する膨張弁１７と、低温低圧の冷媒を蒸発する蒸発器１８と、圧縮機１５、冷媒水熱交換器１６、膨張弁１７、蒸発器１８を環状に接続した冷凍サイクル配管１９と、蒸発器１８に熱源となる外気を送風する送風機２０と、冷媒水熱交換器１６の水側に貯湯タンク２からの湯水を供給する加熱循環ポンプ２１とを備えている。
【００１８】
２２は貯湯タンク２下部とヒートポンプユニット３の冷媒水熱交換器１６の水側入口とを接続する加熱往き管、２３はヒートポンプユニット３の冷媒水熱交換器１６の水側出口と貯湯タンク２上部とを接続する加熱戻り管、２４は加熱戻り管２３途中から分岐されて給水管６を介して貯湯タンク２下部と接続する加熱分岐管、２５は加熱戻り管２３と加熱分岐管２４の分岐位置に設けられた加熱三方弁である。なお、加熱分岐管２４は貯湯タンク２下部に直接接続する構成としてもよい。
【００１９】
ここで加熱三方弁２５は、Ｔ字型の流路のＴ字の左右端に出口ポートａ、ｂ、Ｔ字の下端に入口ポートｃが開口されたボディ２５ａと、ボディ２５ａ内に配置されＬ字型の流路を有し、出口ポートａまたは出口ポートｂの一方と入口ポートｃとを連通させる弁体としてのボールバルブ２５ｂと、ボールバルブ２５ｂを回転させる弁モータ２５ｃとで構成され、入口ポートｃがヒートポンプユニット３側の加熱戻り管２３、出口ポートａが貯湯タンク２側の加熱戻り管２３、出口ポートｂが加熱分岐管２４に接続されるものである。
【００２０】
２６は加熱往き管２２から冷媒水熱交換器１６に流入する湯水の温度を検出する入水温度センサ、２７は冷媒水熱交換器１６から加熱戻り管２３へ流出する湯水の温度を検出する沸き上げ温度センサ、２８ａ〜ｄは貯湯タンク２の側面上下に複数設けられた貯湯温度センサである。
【００２１】
２９は給湯温度センサ１３、給湯流量センサ１４、貯湯温度センサ２８ａ〜ｄの検出値が入力され、給湯混合弁９、加熱三方弁２５の作動を制御すると共に、給湯機リモコン５と必要な情報を送受信可能に接続された貯湯制御手段である。
【００２２】
３０は、入水温度センサ２６、沸き上げ温度センサ２７の検出値が入力され、圧縮機１５、膨張弁１７、送風機２０、加熱循環ポンプ２１の作動を制御すると共に、貯湯制御手段２９と必要な情報を送受信可能に接続された加熱制御手段である。
【００２３】
ここで、貯湯制御手段２９と加熱制御手段３０は互いに必要な情報を授受して、互いに連携して貯湯式給湯機の作動を制御する制御手段３１として振る舞うものである。
【００２４】
この制御手段３１は、予め貯湯式給湯機の作動を制御するためのプログラムが記憶されていると共に、演算、比較、時計機能と、電源が切断されても記憶を保持する書き換え可能な記憶手段３２とを有し、記憶手段３２には、加熱三方弁２５の出口ポートａ、ｂと接続されている貯湯タンク２側の加熱戻り管２３、加熱分岐管２４の対応関係が、図３（Ａ）に示すようにデフォルト状態（正常時）では出口ポートａが貯湯タンク２側の加熱戻り管２３（以下、沸き上げ側という）に対応し、出口ポートｂが加熱分岐管２４（以下、分岐側という）に対応するとして記憶されている。
【００２５】
次に、沸き上げ動作について図２のフローチャートに基づいて説明する。
電力料金単価の安価な深夜時間帯の開始時刻になって沸き上げ動作の開始要求が発生すると、制御手段３１は、記憶手段３２の対応関係（ここでは図４（Ａ）の対応関係）を参照し（ステップＳ１）、加熱三方弁２５のボールバルブ２５ｂが分岐側である出口ポートｂを向くように加熱三方弁２５の弁モータ２５ｃを駆動する（ステップＳ２）。
【００２６】
次に、制御手段３１は加熱循環ポンプ２１を駆動し（ステップＳ３）、圧縮機１５、膨張弁１７、送風機２０を駆動してヒートポンプユニット３を駆動し（ステップＳ４）、貯湯タンク２の下部から加熱往き管２２を介して取り出した水をヒートポンプユニット３で沸き上げて、ヒートポンプユニット３の立ち上がり期間中は加熱分岐管２４を介して貯湯タンク２下部へ一旦戻すようにして、低中温の湯水を貯湯タンク２の上部へ戻さないようにしている。
【００２７】
そして、ヒートポンプユニット３が十分な加熱能力を発揮できる状態まで立ち上がって、沸き上げ温度センサ２７が所定温度（ここでは４５℃）以上に達したことを検知すると（ステップＳ５でＹ）、制御手段３１は加熱三方弁２５のボールバルブ２５ｂが沸き上げ側である出口ポートａを向くように加熱三方弁２５の弁モータ２５ｃを駆動する（ステップＳ６）。
【００２８】
なお、ステップＳ５において、沸き上げ開始から例えば一定時間（ここでは２時間）が経過しても沸き上げ温度センサ２７が所定温度以上を検知できない場合は、ヒートポンプユニット３または加熱循環ポンプ２１を含む循環経路に異常があるとして、エラー停止するようにしている（図示省略）。
【００２９】
ステップＳ６の加熱三方弁２５の切り換えから一定時間（ここでは１時間）が経過すると（ステップＳ７でＹ）、制御手段３１は最上部の貯湯温度センサ２８ａの検出値を確認し、ヒートポンプユニット３で沸き上げた湯が貯湯タンク２の上部から貯められていることを示す所定温度（ここでは５０℃）以上であるかどうかを判定し、正常な状態であれば所定温度以上となるので、所定温度以上であることを確認すると（ステップＳ８でＹ）、次のステップへ進む。
【００３０】
そして、制御手段３１は、貯湯温度センサ２８ａ〜ｄの検出値に基づいて貯湯タンク２内に目標貯湯量以上の湯水が貯湯されたことを確認すると（ステップＳ９でＹ）、圧縮機１５、膨張弁１７、送風機２０を停止処理してヒートポンプユニット３を停止し（ステップＳ１０）、加熱循環ポンプ２１を停止し（ステップＳ１１）、加熱三方弁２５のボールバルブ２５ｂが分岐側である出口ポートｂを向くように加熱三方弁２５の弁モータ２５ｃを駆動して（ステップＳ１２）、沸き上げ動作を終了する。
【００３１】
一方、図３のように加熱三方弁２５の表裏を間違えて出口ポートａが加熱分岐管２４に接続され、出口ポートｂが貯湯タンク２側の加熱戻り管２３に接続されている逆組み付け時の動作について説明すると、制御手段３１は、加熱三方弁２５の逆組み付け状態であることを把握していない状態では、ステップＳ１で記憶手段３２のデフォルトの対応関係（図４（Ａ））を参照し、加熱三方弁２５のボールバルブ２５ｂを出口ポートｂを向くように加熱三方弁２５の弁モータ２５ｃを駆動する（ステップＳ２）。
【００３２】
制御手段３１は加熱循環ポンプ２１を駆動し（ステップＳ３）、圧縮機１５、膨張弁１７、送風機２０を駆動してヒートポンプユニット３を駆動する（ステップＳ４）。
【００３３】
このとき、制御手段３１は出口ポートｂが分岐側だとの認識で加熱三方弁２５を制御しているが、実際には逆組み付け状態で出口ポートｂは沸き上げ側であるため、貯湯タンク２の下部から加熱往き管２２を介して取り出した水をヒートポンプユニット３で沸き上げて、加熱戻り管２３を介して貯湯タンク２の上部へ戻す状態となっている。
【００３４】
そして、ヒートポンプユニット３が十分な加熱能力を発揮できる状態まで立ち上がって、沸き上げ温度センサ２７が所定温度（ここでは４５℃）以上に達したことを検知すると（ステップＳ５でＹ）、制御手段３１は加熱三方弁２５のボールバルブ２５ｂが出口ポートａを向くように加熱三方弁２５の弁モータ２５ｃを駆動する（ステップＳ６）。
【００３５】
このとき、制御手段３１は出口ポートａが沸き上げ側だとの認識で加熱三方弁２５を制御しているが、実際には逆組み付け状態で出口ポートａは分岐側であるため、ヒートポンプユニット３で沸き上げられた湯は、加熱分岐管２４を介して貯湯タンク２の下部へ戻されることとなり、ステップＳ６の加熱三方弁２５の切り換えから一定時間（ここでは１時間）が経過して（ステップＳ７でＹ）、制御手段３１が最上部の貯湯温度センサ２８ａの検出値を確認しても、ヒートポンプユニット３で沸き上げた湯が貯湯タンク２の上部から貯められていることを示す所定温度（ここでは５０℃）以上にはなっていないことが確認され（ステップＳ７でＮ）、ステップＳ１３へ進む。
【００３６】
ステップＳ１３では、制御手段３１は加熱三方弁２５のボールバルブ２５ｂが出口ポートｂを向くように加熱三方弁２５の弁モータ２５ｃを駆動する。これにより、加熱三方弁２５のボールバルブ２５ｂが貯湯タンク２側の加熱戻り管２３を向くので、ヒートポンプユニット３で沸き上げられた湯が貯湯タンク２の上部から貯められることとなる。
【００３７】
そして、ステップＳ１３の加熱三方弁２５の切り換えから所定時間（ここでは１時間）が経過すると（ステップＳ１４でＹ）、制御手段３１は最上部の貯湯温度センサ２８ａの検出値を確認し、ヒートポンプユニット３で沸き上げた湯が貯湯タンク２の上部から貯められていることを示す所定温度（ここでは５０℃）以上であるかどうかを判定し、所定温度以上であると判定すると（ステップＳ１５でＹ）、加熱三方弁２５の逆組み付けと判断し（ステップＳ１６）、給湯機リモコン５の表示部５ａに加熱三方弁２５の逆組み付け状態である旨のエラーコードを表示することでエラー報知を行う（ステップＳ１７）。
【００３８】
このようにして、加熱三方弁２５の出口ポートａ、ｂと対応する配管が誤って逆に組み付けられていることを確実に検知することができる。
【００３９】
エラー報知の一方で制御手段３１は、記憶手段３２に記憶している加熱三方弁２５の出口ポートａ、ｂと接続されている貯湯タンク２側の加熱戻り管２３、加熱分岐管２４の対応関係を、図４（Ｂ）のように沸き上げ側を出口ポートｂ、分岐側を出口ポートａに対応するとして記憶内容を書き換える（ステップＳ１８）。
【００４０】
そして、制御手段３１は、貯湯温度センサ２８ａ〜ｄの検出値に基づいて貯湯タンク２内に目標貯湯量以上の湯水が貯湯されたことを確認すると（ステップＳ９でＹ）、圧縮機１５、膨張弁１７、送風機２０を停止処理してヒートポンプユニット３を停止し（ステップＳ１０）、加熱循環ポンプ２１を停止する（ステップＳ１１）。
【００４１】
次に、制御手段３１は書き換え記憶された記憶手段３２の対応関係に基づき、加熱三方弁２５のボールバルブ２５ｂが分岐側である出口ポートａを向くように加熱三方弁２５の弁モータ２５ｃを駆動して（ステップＳ１２）、沸き上げ動作を終了する。なお、この沸き上げ動作の終了と同時に給湯機リモコン５のエラーコード表示を消去するようにしている。
【００４２】
次回以降の沸き上げ時には、書き換え記憶された記憶手段３２の対応関係（図４（Ｂ））に基づいて、ステップＳ１〜ステップＳ１２の動作通りに沸き上げ動作が行われ、加熱三方弁２５が逆組み付けされていても、通常通り沸き上げることができるものである。
【００４３】
このようにして、加熱三方弁２５の逆組み付けが検知された後は、制御手段３１は加熱三方弁２５の制御方向を入れ替えて沸き上げを継続することができるので、通常通り沸き上げを行うことができる。
【００４４】
ここで、ステップＳ８でＮになる原因として、加熱三方弁２５の逆組み付けの他に、ヒートポンプユニット３の逆接続が考えられるが、このヒートポンプユニット３の逆接続と加熱三方弁２５の逆組み付けの判別について説明する。なお、ヒートポンプユニット３の逆接続とは、図５に示すように、ヒートポンプユニット３の入口側が加熱戻り管２３に接続され、出口側が加熱往き管２２に接続された状態のことをいう。
【００４５】
ヒートポンプユニット３が逆接続されていると、加熱三方弁２５の向きに応じて貯湯タンク２上部または下部から取り出した湯水が沸き上げて貯湯タンク２下部へ戻されるが、制御手段３１はヒートポンプユニット３の逆接続状態を認識していないため、ステップＳ１〜ステップＳ７までは正常時と同じ動作が行われる。
【００４６】
しかし、ヒートポンプユニット３で沸き上げた湯は温度の低い貯湯タンク２の下部に流入するため貯湯タンク２内の温度が全体的に緩慢にしか上昇せず、ステップＳ８で貯湯タンク２上部の温度が所定温度以下と判断されてステップＳ１３へ進むこととなる。
【００４７】
そして、制御手段３１は、ステップＳ１３で加熱三方弁２５の逆組み付けの判別のために加熱三方弁２５のボールバルブ２５ｂが出口ポートｂを向くように加熱三方弁２５の弁モータ２５ｃを駆動するが、沸き上げた湯が貯湯タンク２下部から戻る状況は変化しないため、ステップＳ１４で所定時間待機した後に貯湯タンク２上部の温度を確認しても、やはり所定温度以下のままであるためステップＳ１５でＮとなる。
【００４８】
制御手段３１は、ステップＳ１５でＮとなることによって、加熱三方弁２５の逆組み付けではなく、ヒートポンプユニット３の逆接続であると判断し（ステップＳ１９）、給湯機リモコン５にヒートポンプユニット３の逆接続状態である旨のエラーコードを表示部５ａに表示することでエラー報知を行う（ステップＳ２０）。
【００４９】
そして、制御手段３１は、圧縮機１５、膨張弁１７、送風機２０を停止処理してヒートポンプユニット３を停止し（ステップＳ２１）、加熱循環ポンプ２１を停止し（ステップＳ２２）、加熱三方弁２５のボールバルブ２５ｂが分岐側である出口ポートｂを向くように加熱三方弁２５の弁モータ２５ｃを駆動して（ステップＳ２３）、沸き上げ動作をエラー終了するようにしている。
【００５０】
そして、ヒートポンプユニット３の逆接続によるエラー終了を施工者等が認識すると、ヒートポンプユニット３を正常な接続状態に戻すように再施工することで異常な状態を解消することができる。
【００５１】
なお、加熱三方弁２５の逆組み付け状態で、かつ、ヒートポンプユニット３の逆接続状態が重なった場合は、ヒートポンプユニット３の逆接続が先に判別され、正常な状態に再施工された後に、加熱三方弁２５の逆組み付け状態が判別されることとなる。
【００５２】
このようにして、加熱三方弁２５の逆組み付けとヒートポンプユニット３の逆接続とを明確に判別し得るので、制御的な対処で正常な沸き上げ運転が可能な加熱三方弁２５の逆組み付けは沸き上げ運転を継続させることができると共に、制御的な対処では正常な沸き上げ運転が不可能なヒートポンプユニット３の逆接続ではエラー終了させることができ、事後の対処が容易となる。
【００５３】
ここで、加熱三方弁２５の逆組み付け状態は出口ポートａ、ｂと接続先の関係を正常時と逆転させるだけで正常な沸き上げ運転が可能であるが、施工業者等によって正常な組み付け状態に戻すことが本来望ましいものであり、正常な組み付け状態に戻された場合は、給湯機リモコン５の操作スイッチ５ｂの特定操作等によって一度逆転した状態で書き換え記憶された記憶手段３２の対応関係（図４（Ｂ））をデフォルトの対応関係（図４（Ａ））に戻すようにすればよいものである。
【００５４】
なお、本発明は上記の一実施形態のみに限定されるものではなく、発明の要旨を変更しない範囲で改変可能なものであり、加熱手段としてはヒートポンプ式のもののみに限られず、電熱ヒータ式の加熱手段やコージェネレーションシステムの廃熱回収装置であってもよいものである。
【００５５】
また、ステップＳ７における一定時間カウントの開始タイミングは、ステップＳ６の加熱三方弁２５の切り換えタイミングのみならず、ステップＳ６の加熱三方弁２５の切り換え動作が行われていることを前提条件として沸き上げ開始のタイミングから時間カウントするようにしてもよく、また、ステップＳ８やステップＳ１５では定められた時間が経過してから温度判定を行っているが、定められた時間が経過するまでに判定温度以上になったか否かの判定を行うようにしてもよいものである。
【符号の説明】
【００５６】
２  貯湯タンク
３  ヒートポンプユニット（加熱手段）
２１  加熱循環ポンプ
２２  加熱往き管
２３  加熱戻り管
２４  加熱分岐管
２５  加熱三方弁
２５ｂ  ボールバルブ（弁体）
２５ｃ  弁モータ
２８ａ  貯湯温度センサ
３１  制御手段
【図１】
2014098511.tif 000003
【図２】
2014098511.tif 000004
【図３】
2014098511.tif 000005
【図４】
2014098511.tif 000006
【図５】
2014098511.tif 000007